(57)【要約】【課題】簡単化された差込み式コネクタ装置を提供すること。【解決手段】少なくとも１本の多芯線型データケーブル（１４）を収容するために設けられた少なくとも１個の配線ブロック（１２）を備え、この配線ブロックが少なくとも１本のデータケーブル（１４）の少なくとも１本の芯線（１８）を収容するための少なくとも１つの収容範囲（１６）を有する、差込み式コネクタ装置（１０）、特にＲＪコネクタ装置が提案される。【選択図】図１
2018041748.tif 000002
【特許請求の範囲】
【請求項１】
少なくとも１本の多芯線型のデータケーブル（１４）を収容するために設けられた少なくとも１個の配線ブロック（１２）と、
少なくとも１個の接触要素（３６）と、を備え、
この配線ブロックが、少なくとも１本の前記データケーブル（１４）の少なくとも１本の芯線（１８）を収容するための少なくとも１つの収容範囲（１６）を有し、
少なくとも１個の前記配線ブロック（１２）が、少なくとも１個のドレイン線収容要素（２８）を含み、このドレイン線収容要素が、前記データケーブル（１４）のドレイン線を収容するために設けられ、
少なくとも１個の接触要素（３６）が、少なくとも１個の前記ドレイン線収容要素（２８）内に収容された前記ドレイン線を、組み立て状態で電気的に接触させるために設けられている、差込み式コネクタ装置（１０）、特にＲＪコネクタ装置。
【請求項２】
少なくとも１つの前記収容範囲（１６）が少なくとも部分的に変形可能な少なくとも１個の収容要素（２０）によって少なくとも部分的に画成されていることを特徴とする請求項１に記載の差込み式コネクタ装置（１０）。
【請求項３】
少なくとも１個の前記収容要素（２０）が少なくとも１つの第１収容部分（２２）を有し、この第１収容部分の少なくとも一部が弾性変形可能および塑性変形可能のうちの少なくとも一方で形成されていることを特徴とする請求項２に記載の差込み式コネクタ装置（１０）。
【請求項４】
少なくとも１つの前記第１収容部分（２２）の少なくとも一部が重ね板状に形成されていることを特徴とする請求項３に記載の差込み式コネクタ装置（１０）。
【請求項５】
少なくとも１個の前記収容要素（２０）が少なくとも１つの第２収容部分（２４）を有し、この第２収容部分が少なくとも１個の保持突起（２６）を備え、この保持突起の少なくとも一部が少なくとも１本の前記データケーブル（１４）のそれぞれ１本の前記芯線（１８）をかみ合い連結的に固定するために設けられていることを特徴とする少なくとも請求項２に記載の差込み式コネクタ装置（１０）。
【請求項６】
少なくとも１つの第１収容部分（２２）と少なくとも１つの第２収容部分（２４）の少なくとも一部が異なる剛性を有するように形成されていることを特徴とする少なくとも請求項３および５に記載の差込み式コネクタ装置（１０）。
【請求項７】
少なくとも１個の前記ドレイン線収容要素（２８）の少なくとも一部が溝状に形成されていることを特徴とする請求項６に記載の差込み式コネクタ装置（１０）。
【請求項８】
少なくとも１個の前記ドレイン線収容要素（２８）の少なくとも一部が少なくとも１個の前記配線ブロック（１２）の外面（３０）に配置されていることを特徴とする少なくとも請求項６に記載の差込み式コネクタ装置（１０）。
【請求項９】
少なくとも１個の前記ドレイン線収容要素（２８）が、前記ドレイン線の少なくとも一部を軸方向（３２）および半径方向（３４）に案内するために設けられていることを特徴とする少なくとも請求項６に記載の差込み式コネクタ装置（１０）。
【請求項１０】
組み立て状態で前記配線ブロック（１２）を少なくとも部分的に取り囲むために設けられた少なくとも１個のケーシング（３８）と、少なくとも１個の前記ケーシング（３８）に揺動可能に配置された少なくとも１個の配線カバー（４０）とを備えていることを特徴とする請求項１〜９のいずれか一項に記載の差込み式コネクタ装置（１０）。
【請求項１１】
少なくとも１個の前記配線カバー（４０）が少なくとも１つの揺動した状態で、少なくとも１個の前記ケーシング（３８）から取り外し可能に形成されていることを特徴とする請求項１０に記載の差込み式コネクタ装置。
【請求項１２】
少なくとも１個の前記配線カバー（４０）が少なくとも１個の支承要素（４２）を備え、この支承要素が、少なくとも１個の前記配線カバー（４０）を前記ケーシング（３８）に揺動可能に支持するために設けられ、前記支承要素が少なくとも１個のカラー（４４）を備えていることを特徴とする少なくとも請求項１０に記載の差込み式コネクタ装置（１０）。
【請求項１３】
少なくとも１個の前記配線ブロックに配置された少なくとも１個の張力軽減ユニット（４６）を備え、この張力軽減ユニットが、少なくとも１本の前記データケーブル（１４）を組み立て状態で前記配線ブロック（１２）に対して少なくとも部分的に摩擦連結固定および／または少なくとも部分的にかみ合い連結固定するために設けられていることを特徴とする請求項１〜１２のいずれか一項に記載の差込み式コネクタ装置（１０）。
【請求項１４】
少なくとも１個の前記張力軽減ユニット（４６）が、前記データケーブル（１４）を、少なくとも４５°だけ異なる少なくとも２つの方向において、前記配線ブロック（１２）に対して固定するために設けられていることを特徴とする請求項１３に記載の差込み式コネクタ装置（１０）。
【請求項１５】
少なくとも１個の前記張力軽減ユニット（４６）が少なくとも１個の張力軽減要素（４８）を備え、この張力軽減要素（４８）が、少なくとも１個の前記配線ブロック（１２）に対して少なくとも４５°だけ異なる少なくとも２つの方向において少なくとも１個の前記配線ブロック（１２）に固定可能であることを特徴とする請求項１４に記載の差込み式コネクタ装置（１０）。
【請求項１６】
少なくとも１個の前記張力軽減ユニット（４６）が少なくとも１個の張力軽減要素（４８）を備え、この張力軽減要素の少なくとも一部が保持ベルトとして形成されていることを特徴とする少なくとも請求項１３に記載の差込み式コネクタ装置（１０）。
【請求項１７】
少なくとも１個の前記張力軽減ユニット（４６）が少なくとも２個の係止要素（９６、９８）を備え、この係止要素が少なくとも１本の前記データケーブル（１４）を組み立て状態で前記配線ブロック（１２）に対して固定するために、前記張力軽減要素（４８）と協働することを特徴とする請求項１６に記載の差込み式コネクタ装置（１０）。
【請求項１８】
請求項１〜１７のいずれか一項に記載の差込み式コネクタ装置（１０）を少なくとも１個備えた差込み式コネクタ（５０）、特に差込み式ジャック。
【発明の詳細な説明】
【技術分野】
【０００１】
本発明は、請求項１の前提部分に記載した、少なくとも１個の配線ブロックを有する差込み式コネクタ装置、特にＲＪコネクタ装置に関する。
【背景技術】
【０００２】
操作人が取り付け手動工具を用いてデータケーブルの芯線を個々に圧接接触部（ＩＤＣ）に押し込まなければならないＲＪコネクタ用差込み式コネクタ装置が既に知られている。
【発明の概要】
【発明が解決しようとする課題】
【０００３】
本発明の課題は特に、データケーブルの少なくとも１本の芯線を有する配線ブロックの配線部が簡単化されて形成されている、冒頭に述べた種類の差込み式コネクタ装置を提供することにある。
【課題を解決するための手段】
【０００４】
この課題は本発明に従い請求項１と請求項１７の特徴によって解決される。本発明の有利な実施形と発展形態は従属請求項から読み取ることができる。
少なくとも１本の多芯線型データケーブルを収容するために設けられた少なくとも１個の配線ブロックを備え、この配線ブロックが少なくとも１本のデータケーブルの少なくとも１本の芯線を収容するための少なくとも１つの収容範囲を有する、差込み式コネクタ装置、特にＲＪコネクタ装置が提案される。
【０００５】
配線ブロックは好ましくは、多芯線型データケーブルのすべての芯線を、特に少なくとも１つの収容範囲に、好ましくはそれぞれ別個に複数の収容範囲に収容するために設けられている。配線ブロックは好ましくは、組み立ての際に特に後側からあるいはデータプラグの差込み方向とは反対の方向に、好ましくは差込み式ジャックによって形成された差込み式コネクタに挿入するために設けられている。この場合、データケーブルの少なくとも１本の芯線は少なくとも１つの圧接接触部（ＩＤＣ）によって接触可能である。これに関連して、「データケーブル」とは特に要素、とりわけ曲げやすく、好ましくは絶縁された導電線および／または少なくとも一部が電気信号、特に好ましくはデジタルで高周波の情報を伝送するための光波導体であると理解される。データケーブルは好ましくは双方向通信のために設けることができる。有利な実施形では、データケーブルの少なくとも１本の芯線の少なくとも大部分が銅によって形成されている。しかし、専門家にとって適当であると思われるデータケーブルの他の実施形では、データケーブルの少なくとも一部がアルミニウムからなっていてもよい。特に有利な実施形では、データケーブルは挿入方向に見て、配線ブロックの少なくとも一部に挿入され、続いて好ましくは配線ブロック内で少なくとも一部が固定される。挿入方向は好ましくはデータケーブルの縦方向に沿って延びている。この縦方向において、少なくとも１本の芯線の少なくとも大部分がデータケーブル内を案内されている。
【０００６】
「設けられている」とは特に形成、配置および／または装備されていると理解される。要素またはユニットが所定の機能のために設けられているとは特に、要素またはユニットが少なくとも１つの使用状態および／または作動状態でこの所定の機能を発揮および／または実施すると理解される。
【０００７】
これに関連して、「収容範囲」とは特に、データケーブルの少なくとも１本の芯線の少なくとも一部を、かみ合い連結的および／または摩擦連結的に、特に少なくとも２つの空間方向で保持するために設けられた配線ブロックの範囲であると理解される。これに関連して、「かみ合い連結的」および／または「摩擦連結的」とは特に、データケーブルの少なくとも１本の芯線の少なくとも部分的に取り外し可能に少なくとも１つの収容範囲内に保持し、少なくとも１本の芯線と少なくとも１つの収容範囲の間の保持力が好ましくは部品の相互の形状的な係合によっておよび／または部品の間の摩擦力によって伝達されると理解される。
【０００８】
このような実施形態により、差込み式コネクタ装置の有利に簡単で、操作しやすくそして時間の節約になる配線が達成可能である。
さらに、少なくとも１つの収容範囲が少なくとも部分的に変形可能な少なくとも１個の収容要素によって少なくとも部分的に画成されていることが提案される。これに関連して、「少なくとも部分的に変形可能」とは特に、少なくとも１個の収容要素が操作人によって加えられる力により、少なくとも部分的に、負荷されていない状態の収容要素の形とは異なる形に変えられ得ることであると理解される。操作人は、特にデータケーブルの少なくとも１本の芯線が少なくとも１個の収容要素に挿入されているときに、上記の力の大部分を他の補助手段なしに少なくとも１個の収容要素に加える。この場合、収容要素の特に可逆的な、特に弾性的なあるいは不可逆的な、特に塑性的な変形および／または損傷が発生し得る。少なくとも１個の収容要素は負荷されていない状態の形状および／または輪郭に対して、好ましくは少なくとも０．０１ｍｍ、特に少なくとも０．１ｍｍ、好ましくは少なくとも０．５ｍｍ、有利には少なくとも１ｍｍ、そして特に有利には少なくとも５ｍｍだけ変形可能である。その際、少なくとも１個の収容要素は、例えば少なくとも１個の収容要素の少なくとも一部の裂けまたは破壊によって、少なくとも一部が塑性的および不可逆的におよび／または弾性的および可逆的に変形し得る。
【０００９】
これに関連して、「少なくとも部分的に画成されている」とは特に、少なくとも１個の収容要素の少なくとも１つの収容範囲が、特に少なくとも２つ、好ましくは少なくとも３つ、有利には少なくとも４つそして特に有利には少なくとも５つの、互いに垂直に配置された側で、周囲に対しておよび／または接する部品および／または範囲に対して、少なくとも部分的に境界をつけられていることであると理解される。それによって、収容範囲の簡単で確実な形成が達成されるので有利である。
【００１０】
さらに、少なくとも１個の収容要素が少なくとも１つの第１収容部分を有し、この第１収容部分の少なくとも一部が弾性変形可能および／または塑性変形可能に形成されていることが提案される。「収容部分」とは特に、少なくとも１個の収容要素の特に剛性のある構成部分および／または部分範囲であると理解される。「弾性変形可能」とは特に、少なくとも１個の収容要素が機械的に損傷せずにまたは破壊されずに、少なくとも１個の収容要素が繰り返し変形可能であり、そして特に変形の後に独りでまたは自動的に再び基本形状に戻ることであると理解される。それによって、少なくとも１個の収容要素の少なくとも１つの収容部分内へのデータケーブルの少なくとも１本の芯線の確実で安定した収容と、収容要素の有利にフレキシブルな形成が達成可能である。
【００１１】
さらに、少なくとも１つの第１収容部分の少なくとも一部が重ね板状に形成されていることが提案される。これに関連して、「重ね板状」とは特に、少なくとも１個の収容要素の少なくとも一部が、好ましくは特に少なくとも５ｍｍ、好ましくは少なくとも７ｍｍ、有利には少なくとも１０ｍｍそして特に有利には少なくとも１５ｍｍの長さに沿って、短い材料長さ、特に最大７ｍｍ、好ましくは最大５ｍｍ、有利には最大３ｍｍそして特に有利には最大１ｍｍを有することであると理解される。それによって、少なくとも１個の収容要素の少なくとも１つの第１収容部分の構造的に簡単で有利に操作人にやさしくそして有利に低コストの形成と、収容要素の少なくとも１つの第１収容部分内に収容可能な少なくとも１本の芯線の直径の有利に大きな幅が達成可能である。
【００１２】
本発明の他の実施形態では、少なくとも１個の収容要素が少なくとも１つの第２収容部分を有し、この第２収容部分が少なくとも１個の保持突起を備え、この保持突起の少なくとも一部が少なくとも１本のデータケーブルのそれぞれ１本の芯線をかみ合い連結的に固定するために設けられていることが提案される。少なくとも１つの第２収容部分は好ましくは少なくとも一部が弾性変形および／または塑性変形可能に形成されている。第１収容部分は好ましくは同様に、少なくとも１個の保持突起を備え、この保持突起の少なくとも一部が少なくとも１本のデータケーブルのそれぞれ１本の芯線をかみ合い連結的に固定するために設けられている。これに関連して、「保持突起」とは特に、少なくとも１個の収容要素の少なくとも１つの第２収容部分に配置、特に形成された機械的要素であると理解される。「かみ合い連結的」とは特に、少なくとも１つの状態で互いにかみ合い連結された構成部分の互いに隣接する面が面の垂直方向に作用する保持力を互いに加えることであると理解される。特に、構成部分は少なくとも１つの状態で互いに形が係合している。少なくとも１つの第１収容部分と少なくとも１つの第２収容部分は少なくとも部分的に分離されて形成されている。しかし、少なくとも１つの第１収容部分と少なくとも１つの第２収容部分を、少なくとも１個の収容要素の同じ部分によって形成してもよい。それによって、データケーブルの少なくとも１本の芯線の構造的に簡単なかみ合い連結固定が達成される。特に、少なくとも１個の収容要素の少なくとも１つの第１収容部分と少なくとも１つの第２収容部分によって少なくとも１本のデータケーブルの少なくとも１本の芯線を二重に位置決めすることにより、少なくとも１つの圧接接触部（ＩＤＣ）による有利に正確で変わらぬ配線品質が達成される。
【００１３】
さらに、少なくとも１つの第１収容部分と少なくとも１つの第２収容部分の少なくとも一部が異なる剛性を有するように形成されていることが提案される。好ましくは、少なくとも２つの収容部分の一方、特に少なくとも大部分が、少なくとも１本の芯線を摩擦連結的に保持するために設けられ、少なくとも２つの収容部分の他方、特に少なくとも大部分が、少なくとも１本の芯線をかみ合い連結的に保持するために設けられている。特に、少なくとも１つの第１収容部分が少なくとも１本の芯線を摩擦連結的に保持するために設けられ、少なくとも１つの第２収容部分が少なくとも１本の芯線をかみ合い連結的に保持するために設けられている。特に、少なくとも１つの第１収容部分は少なくとも１つの第２収容部分よりも少なくとも一部が大きな剛性を有するように形成されている。それによって、データケーブルの少なくとも１本の芯線の確実な固定が達成されるので有利である。
【００１４】
さらに、少なくとも１個の配線ブロックが少なくとも１個のドレイン線収容要素を備え、このドレイン線収容要素がデータケーブルのドレイン線を収容するために設けられていることが提案される。これに関連して、「ドレイン線」とは特に、少なくとも一部が電気的に絶縁されていないむき出しの線であると理解される。この線は、データケーブル内に延在し、少なくとも１本の芯線、特に少なくとも１本の芯線の外皮に少なくとも部分的に接触し、そしてデータケーブルの使用状態で少なくとも１本の芯線から誘導される妨害信号を少なくとも部分的に、好ましくは大部分を搬出するために設けられている。それによって、ドレイン線の接触は好ましくはデータケーブルと配線ブロックのインターフェースの近くで、特に好ましくはデータケーブルの外皮および／または外側シールドの近くで達成され、従って良好で妨害されないデータ伝送が達成されるので有利である。
【００１５】
さらに、少なくとも１個のドレイン線収容要素の少なくとも一部が溝状に形成されていることが提案される。少なくとも１個のドレイン線収容要素は好ましくは少なくとも一部が半円形または部分円状の横断面輪郭を有し、それによって少なくとも一部が樋状に形成されている。しかしながら、少なくとも１個のドレイン線収容要素の少なくとも一部がＶ字状、長方形、Ｕ字状、台形および／または専門家にとって適当であると思われる他の形の横断面輪郭を有していてもよい。それによって、少なくとも１個のドレイン線収容要素の構造的に簡単で低コストの形成が達成される。
【００１６】
さらに、少なくとも１個のドレイン線収容要素の少なくとも一部が少なくとも１個の配線ブロックの外面に配置されていることが提案される。それによって、ドレイン線の特に電気的な接触が短い区間で簡単に達成されるので有利である。従って、良好なシールドが達成されるので有利である。
【００１７】
さらに、少なくとも１個のドレイン線収容要素が、ドレイン線の少なくとも一部を軸方向および半径方向に案内するために設けられていることが提案される。軸方向は好ましくはデータケーブルの挿入方向に対して少なくともほぼ平行に延びている。これに関連して、「ほぼ平行」とは特に、軸方向と挿入方向が特に最大１０°、好ましくは最大５°、有利には最大３°そして特に有利には最大１°の角度をなすことであると理解される。半径方向は好ましくはデータケーブルの挿入方向に対して少なくともほぼ垂直に延びている。これに関連して、「ほぼ垂直」とは特に、半径方向と挿入方向が特に最大１０°、好ましくは最大５°、有利には最大３°そして特に有利には最大１°の角度をなすことであると理解される。それによって、ドレイン線の確実な案内が達成されるので有利である。
【００１８】
さらに、差込み式コネクタ装置が少なくとも１個の接触要素を備え、この接触要素が、少なくとも１個のドレイン線収容要素内に収容されたドレイン線を、組み立て状態で電気的に接触させるために設けられていることが提案される。それによって、ドレイン線の特に電気的な接触と、良好で好ましくは妨害されないデータ伝送が簡単に達成されるので有利である。
【００１９】
さらに、差込み式コネクタ装置が、組み立て状態で配線ブロックを少なくとも部分的に取り囲むために設けられた少なくとも１個のケーシングと、少なくとも１個のケーシングに揺動可能に配置された少なくとも１個の配線カバーとを備えていることが提案される。これに関連して、「少なくとも部分的に取り囲む」とは特に、ケーシングが少なくとも配線ブロックを、少なくとも１つの平面上で、好ましくは互いに傾斜した少なくとも２つの平面上で、特に１８０°以上、好ましくは２７０°以上そして特に有利には３６０°以上の角度範囲にわたって取り囲んでいることであると理解される。これに関連して、「揺動可能」とは特に、配線カバーの少なくとも一部が回転軸線回りに少なくとも部分的に回転運動可能に支承されていることであると理解される。配線カバーは好ましくはデータケーブルの挿入方向に対して垂直に配置された回転軸線回りに揺動可能に支承されている。これにより、簡単かつ快適にそして特に工具を用いないで配線することができる。
【００２０】
少なくとも１個の配線カバーが少なくとも１つの揺動した状態で、少なくとも１個のケーシングから取り外し可能に形成されていると有利である。これに関連して、「取り外し可能」とは特に、「破壊せずに分離可能」と理解される。特に有利な実施形では、配線カバーが、少なくとも１個のケーシングから、工具を用いずに少なくとも部分的に、好ましくは完全に取り外し可能に形成されている。それによって、操作人にやさしくかつ低コストの配線カバーの形成が構造的に簡単に達成されるので有利である。
【００２１】
さらに、少なくとも１個の配線カバーが少なくとも１個の支承要素を備え、この支承要素が、少なくとも１個の配線カバーをケーシングに揺動可能に支持するために設けられ、支承要素が少なくとも１個のカラーを備えていることが提案される。これに関連して、「揺動可能に支持」とは特に、少なくとも１個の配線カバーが、特に配線カバーの弾性変形とは切り離して、特に３０°以上、好ましくは４５°以上、有利には６０°以上そして特に有利には少なくとも９０°の、少なくとも１つの軸線回りの少なくとも１つの運動可能性を有することであると理解される。これに関連して、「カラー」とは特に、幾何学的、特に少なくとも部分円状、有利には円板状の要素であると理解され、この要素は好ましくは少なくとも１個の支承要素に固定連結され、特に有利には一体形成され、そして少なくとも一部が少なくとも１個の支承要素の半径よりも、特に少なくとも１０％、好ましくは５０％、有利には少なくとも７５％そして特に有利には少なくとも１００％だけ大きな半径を有する。それによって、少なくとも１個の支承要素の少なくとも一部を配置した、少なくとも１個の配線カバーの側方範囲の折り曲げが、特に少なくとも１個の配線カバーの揺動運動の際に、簡単かつ確実に防止されるので有利である。さらに、いろいろな用途のために設けられるいろいろな配線カバーを設けて、少なくとも１個のケーシングに揺動可能に支持することができる。
【００２２】
さらに、差込み式コネクタ装置が、少なくとも１個の配線ブロックに、特に直接配置された少なくとも１個の張力軽減ユニットを備え、この張力軽減ユニットが、少なくとも１本のデータケーブルを、特に少なくとも１個の配線ブロックにおける芯線の組み立て状態で、配線ブロックに対して少なくとも部分的に摩擦連結固定および／または少なくとも部分的にかみ合い連結固定するために設けられている。これに関連して、「摩擦連結」とは特に、張力軽減ユニットと少なくとも１本のデータケーブルの間の保持力の好ましくは少なくとも一部が張力軽減ユニットと少なくとも１本のデータケーブルの間の摩擦力によって伝達されることであると理解される。「かみ合い連結」とは特に、張力軽減ユニットと少なくとも１本のデータケーブルの互いに隣接する面が面の垂直方向に作用する保持力を互いに加えることであると理解される。特に、張力軽減ユニットと少なくとも１本のデータケーブルは少なくとも部分的に互いに形が係合している。それによって、少なくとも１本のデータケーブルの有利で確実な固定が達成される。
【００２３】
さらに、少なくとも１個の張力軽減ユニットが、少なくとも１本のデータケーブルを、少なくとも４５°だけ異なる少なくとも２つの方向において、少なくとも１個の配線ブロックに対して固定するために設けられていることが提案される。特に有利な実施形では、張力軽減ユニットが少なくとも１本のデータケーブルを、少なくとも６０°、好ましくは少なくとも７５°、特に有利には９０°だけ異なる少なくとも２つの方向において、少なくとも１個の配線ブロックに対して固定するために設けられている。それによって、少なくとも１個の配線ブロックに対する少なくとも１本のデータケーブルの有利でフレキシブルな固定が達成される。
【００２４】
さらに、少なくとも１個の張力軽減ユニットが少なくとも１個の張力軽減要素を備え、この張力軽減要素が、少なくとも１個の配線ブロックに対して少なくとも４５°だけ異なる少なくとも２つの方向において少なくとも１個の配線ブロックに固定可能である。特に有利な実施形では、張力軽減要素は、少なくとも１個の配線ブロックに対して、特に少なくとも６０°、好ましくは少なくとも７５°および特に有利には９０°だけ異なる少なくとも２つの方向において固定可能である。好ましくは、少なくとも１個の張力軽減要素が少なくとも１個の配線ブロックに取り外し可能に連結可能であり、そして少なくとも４５°だけずらして少なくとも１個の配線ブロックに設けられた少なくとも２つの張力軽減要素収容部を介して、少なくとも４５°だけ異なる少なくとも２つの方向において固定可能である。しかしながら、少なくとも１個の張力軽減要素の少なくとも一部を、塑性変形によって、例えば操作人による曲げによって、少なくとも１個の配線ブロックに対して少なくとも４５°だけ異なる２つの方向に向けてもよい。少なくとも１個の張力軽減要素は、組み立て状態で周方向において少なくとも１本のデータケーブルの周りに分配配置された、少なくとも２つの方向、好ましくは少なくとも３つの方向そして特に有利には少なくとも４つの方向で固定可能である。それによって、少なくとも１個の張力軽減要素の有利にフレキシブルで、いろいろな条件に適合可能な形成が達成可能である。
【００２５】
さらに、少なくとも１個の張力軽減ユニットが少なくとも１個の張力軽減要素を備え、この張力軽減要素の少なくとも一部が保持ベルトとして形成されていることが提案される。それによって、少なくとも１個の張力軽減要素の簡単で頑丈でそして低コストの形成が達成されるので有利である。
【００２６】
さらに、少なくとも１個の張力軽減ユニットが少なくとも２個の係止要素を備え、この係止要素が少なくとも１本のデータケーブルを組み立て状態で配線ブロックに対して固定するために、張力軽減要素と協働することが提案される。それによって、少なくとも１個の配線ブロックに対する少なくとも１本のデータケーブルのフレキシブルでフレキシブルな固定が達成されるので有利である。
【００２７】
さらに、少なくとも１個の配線装置を備えた差込み式コネクタ、特に差込み式ジャックが提案される。
他の利点は図に基づく次の説明から明らかになる。図には本発明の２つの実施の形態が示してある。図、明細書および特許請求の範囲は多数の特徴の組み合わせを含んでいる。専門家は合目的な方法でこの特徴を個別的に検討し、適当な他の組み合わせにまとめる。
【図面の簡単な説明】
【００２８】
【図１】差込み式コネクタ装置を備えた差込み式コネクタの分解図である。
【図２】差込み式コネクタ装置を備えた差込み式コネクタの斜視図である。
【図３】差込み式コネクタ装置の配線カバーの斜視図である。
【図４】差込み式コネクタ装置の配線ブロックの斜視図である。
【図５】差込み式コネクタ装置の配線ブロックの平面図である。
【図６】差込み式コネクタ装置のドレイン線収容要素を備えた差込み式コネクタ装置の配線ブロックの斜視図である。
【図７】差込み式コネクタ装置の張力軽減ユニットの張力軽減要素を備えた差込み式コネクタ装置の配線ブロックの側面図並びに部分的な正面図である。
【図８】差込み式コネクタ装置の張力軽減ユニットの張力軽減要素を備えた差込み式コネクタ装置の配線ブロックの異なる方向を示す斜視図である。
【図９】差込み式コネクタ装置の接触要素と、差込み式コネクタの差込み式接触ユニットを備えた差込み式コネクタ装置の配線ブロックの側面図である。
【図１０】差込み式コネクタ装置の接触要素と、差込み式コネクタの差込み式接触ユニットおよび中間ケーシングを備えた差込み式コネクタ装置の配線ブロックの斜視図である。
【図１１】差込み式コネクタ装置の配線ブロックと接触要素の斜視図である。
【図１２】配線ブロックと代替的な張力軽減ユニットを備えた差込み式コネクタ装置の代替的な実施形の斜視図である。
【図１３】配線ブロックと代替的な張力軽減ユニットの断面図である。
【発明を実施するための形態】
【００２９】
図１と図２には、差込み式ジャックによって形成された差込み式コネクタ５０が示してある。差込み式コネクタ５０はＲＪコネクタとして形成されている。差込み式コネクタ５０はＲＪ４５コネクタとして形成されている。しかし、差込み式コネクタ５０を例えばＲＪ１１コネクタとしてあるいは専門家にとって適当であると思われる他の方法で形成してもよい。差込み式コネクタ５０は、データプラグに対応して、データプラグが差し込まれた状態でデータ網接続を行うために設けられている。差込み式コネクタ５０はケーシング３８、配線ブロック１２、接触要素３６および配線カバー４０を有する差込み式コネクタ装置１０と、差込み式接触ユニット５２と、中間ハウジング５４を備えている。差込み式コネクタ装置１０はＲＪコネクタ装置として形成されている。差込み式コネクタ装置１０は多芯線型のデータケーブル１４を収容および固定するために設けられている。多芯線型データケーブル１４は８本の芯線１８と１本のドレイン線を備えている。しかし、ドレイン線を省略した代わりのデータケーブルも考えられる。データケーブル１４は専門家にとって適当であると思われる異なる数の芯線１８を備えていてもよい。データケーブル１４の芯線１８は対をなして互いに捩じられている。対をなして配置されかつ互いに捩じられた芯線１８は図示していない芯線対シールドによって取り囲まれている。芯線対シールドは、対をなして配置されかつ互いに捩じられた芯線１８の周りに巻き付けられたフォイルによって形成されている。芯線対シールドは金属によって形成されている。芯線対シールドは金属フォイルによって形成されている。さらに、芯線対シールドは少なくとも一部を合成樹脂によって形成することができる。しかし、芯線対シールドを省略した代替的なデータケーブルも考えられる。ドレイン線は対をなして配置されかつ互いに捩じられた芯線１８の間のほぼ中央でデータケーブル１４内に延在し、そして対をなして配置されかつ互いに捩じられたデータケーブル１４の芯線１８の芯線対シールドに接触している。さらに、データケーブル１４は外側シールドを備えることができる。データケーブル１４はさらに外皮を備えている。この外皮は対をなして配置されかつ互いに捩じられた芯線１８と、芯線対シールドと、ドレイン線と、場合によっては外側シールドを周方向において取り囲んでいる。
【００３０】
差込み式接触ユニット５２は、データプラグを差込み式コネクタ５０に差し込んだ状態でデータプラグと差込み式コネクタ５０の間の電気的接触を直接的に行う第１の差込み式接触範囲５６と、差込み式コネクタ５０を組み立てた状態で、差込み式コネクタ５０に連結された多芯線のデータケーブル１４の芯線１８に対して電気的接触を行う第２の差込み式接触範囲５８を備えている。差込み式接触ユニット５２の第１の差込み式接触範囲５６内には、データプラグを差込み式コネクタ５０に差し込んだ状態でデータプラグに電気的に直接接触する接触線６０が配置されている。第１の差込み式接触範囲５６は８本の接触線６０を備えている。第２の差込み式接触範囲５８は、差込み式コネクタ５０を組み立てた状態で多芯線型データケーブル１４の芯線１８に対して電気的に直接接触する圧接接触部６２（ＩＤＣ）を備えている。差込み式接触ユニット５２は８個の圧接接触部６２を備えている。しかしながら、専門家にとって適当であると思われる異なる数の接触線６０および／または圧接接触部６２も考えられる。差込み式接触ユニット５２はさらに、第１の差込み式接触範囲５６と第２の差込み式接触範囲５８の間に配置されて接触線６０と圧接接触部６２を電気的に接続するプリント基板６４を備えている。
【００３１】
中間ケーシング５４は合成樹脂によって形成されている。中間ケーシング５４は差込み式コネクタ５０の組み立て状態で配線ブロック１２と差込み式接触ユニット５２を部分的に取り囲んでいる。ケーシング３８は、配線ブロック１２を組み立て状態で少なくとも部分的に取り囲むために設けられている。ケーシング３８は差込み式コネクタ装置１０並びに差込み式接触ユニット５２、接触要素３６と中間ケーシング５４を周方向において部分的に取り囲み、かつ差込み式コネクタ５０の底面を部分的に形成している。ケーシング３８は合成樹脂によって形成されている。しかしながら、専門家にとって適当であると思われる代替的または付加的なケーシング３８用の材料を用いることができる。ケーシング３８は結合および／または滅結合する電界または磁場に対して遮蔽作用を有する。これはケーシング３８の遮蔽バージョンでは金属製のケーシング３８自体によって行われ、そして図示していない、ケーシングの非遮蔽バージョンでは、一体化された金属製遮蔽フォイルによって行われる。図示していない、ケーシングのこの非遮蔽バージョンでは同様に、遮蔽フォイルを、金属繊維を挿入した合成樹脂によってあるいは専門家にとって適当であると思われる他の材料によって形成することができる。
【００３２】
差込み式コネクタ装置１０の配線ブロック１２は多芯線型データケーブル１４を収容するために設けられている（図４〜図６）。しかしながら、差込み式コネクタ装置１０は２本以上のデータケーブル１４を収容するためのものであってもよい。配線ブロック１２はデータケーブル１４を収容して案内するために設けられた案内要素６６を備えている。案内要素６６は円形横断面を有する。案内要素６６は円筒形の切欠きとして形成されている。案内要素６６は９．５ｍｍの直径を有する。しかし、案内要素６６は専門家にとって適当であると思われる直径寸法を有していてもよい。案内要素６６よりもはるかに小さな直径を有するデータケーブル１４を収容するために、案内要素６６内に縮径要素８４を挿入することができる。縮径要素８４は配線ブロック１２から分離して形成された付属品として形成されている。縮径要素８４は案内要素６６に取り外し可能に連結できるように形成されている。縮径要素８４は円形の外側横断面輪郭を有する。縮径要素８４は円筒状の外側輪郭を有する。縮径要素８４は９．５ｍｍの外径を有する。縮径要素８４はさらに、図示していない４個の重ね板要素を備えている。重ね板要素は弾性的に変形可能である。重ね板要素はデータケーブル１４を挿入する際に、弾性的に外側に押され、それによってデータケーブル１４を摩擦的に保持する。
【００３３】
差込み式コネクタ装置１０の配線ブロック１２はデータケーブル１４の芯線１８を収容するための少なくとも１つの収容範囲１６を有する。配線ブロック１２はデータケーブル１４の芯線１８を収容するための多数の収容範囲１６を有する。配線ブロック１２はデータケーブル１４の芯線１８を収容するための８つの収容範囲１６を有する。配線ブロック１２は弾性的な絶縁材料によって形成されている。配線ブロック１２は合成樹脂によって形成されている。しかしながら、その代わりにまたはそれに加えて、専門家にとって適当であると思われる、配線ブロック１２のための他の材料を用いることができる。差込み式コネクタ装置１０の配線ブロック１２は、データケーブル１４の芯線１８を収容するための、少なくとも一部が変形可能である少なくとも１個の収容要素２０を備えている。配線ブロック１２はデータケーブル１４の芯線１８を収容するための複数の収容要素２０を備えている。配線ブロック１２はデータケーブル１４の芯線１８を収容するための８個の収容要素２０を備えている。配線ブロック１２の収容範囲１６は、少なくとも一部が変形可能である収容要素２０の少なくとも１個によって、少なくとも一部を画成されている。配線ブロック１２の収容範囲１６はそれぞれ、収容要素２０の１個によって画成されている。収容要素２０は配線ブロック１２と一体に形成されている。収容要素２０と配線ブロック１２は射出成形法によって製作されている。
【００３４】
各収容要素２０は第１収容部分２２と第２収容部分２４を有する。収容要素２０は第１収容部分２２と第２収容部分２４からなっている。収容要素２０の第１収容部分２２と第２収容部分２４はそれぞれ、収容要素２０の部分範囲を形成している。収容要素２０の第１収容部分２２と第２収容部分２４は、データケーブル１４の半径方向３４に見て対向する２つの側で、収容範囲１６を画成している。収容要素２０の第１収容部分２２と第２収容部分２４は、データケーブル１４の半径方向３４に見て離隔されて配置されている。
【００３５】
第１収容部分２２は少なくとも一部が弾性変形可能に形成されている。第１収容部分２２は少なくとも一部が重ね板状に形成されている。収容要素２０の第１収容部分２２は変形可能に形成された、対向する２つの重ね板６８を備えている。収容要素２０の第１収容部分２２の重ね板６８は小さな材料厚さを有する。第１収容部分２２の重ね板６８の間隔は、配線ブロック１２の方へ小さくなっている。第１収容部分２２の重ね板６８の間の最小間隔は、データケーブル１４の１本の芯線１８の太さまたは直径よりも小さい。
【００３６】
第２収容部分２４は少なくとも一部が弾性変形可能に形成されている。第２収容部分２４は少なくとも１個の保持突起２６を有する。この保持突起の少なくとも一部は、データケーブル１４のそれぞれ１本の芯線１８を摩擦連結的またはかみ合い連結的に固定するために設けられている。収容要素２０の第２収容部分２４は対向配置された２つの重ね板８８を備え、この重ね板はそれぞれ１個の保持突起２６を有する。この保持突起は、データケーブル１４のそれぞれ１本の芯線１８を摩擦連結的またはかみ合い連結的に固定するために設けられている。収容要素２０の第２収容部分２４の重ね板８８は小さな材料厚さを有する。第２収容部分２４の重ね板８８の間隔は、配線ブロック１２の方へ小さくなっている。第２収容部分２４の重ね板８８の間の最小間隔は、データケーブル１４の１本の芯線１８の太さまたは直径よりも小さい。第２収容部分２４の保持突起２６は相互の最小間隔は、データケーブル１４の１本の芯線１８の太さまたは直径よりも小さい。収容要素２０の第１収容部分２２と第２収容部分２４は剛性が異なるように形成されている。収容要素２０の第１収容部分２２は少なくとも一部が、収容要素２０の第２収容部分２４よりも剛性が大きくなるように形成されている。
【００３７】
第１収容部分２２と第２収容部分２４の重ね板６８、８８の間の小さくなる間隔と、第１収容部分２２と第２収容部分２４の弾性変形可能性によって、異なる直径を有する芯線１８を確実に収容および保持することができる。
【００３８】
差込み式コネクタ装置１０を組み立てる際に、第１ステップにおいて、データケーブル１４が皮はぎされる。続いて、データケーブル１４の皮はぎされた範囲が配線ブロック１２の案内要素６６に挿入される。これは、データケーブル１４上に残るデータケーブル１４の外皮のエッジが、配線ブロック１２の少なくとも１個の当接要素８０に接触するまで行われ、それによってデータケーブル１４の皮はぎされた範囲は、配線ブロック１２の収容範囲１６寄りの案内要素６６の側に配置される。配線ブロック１２は２個の当接要素８０を備え、この当接要素は案内要素６６の直径に沿って対向する案内要素６６の壁部に配置されている。当接要素８０は配線ブロック１２と一体に形成されている。当接要素８０はデータケーブル１４の半径方向３４に配線ブロック１２の案内要素６６内に突き出ている。当接要素８０はリブ状に形成されている。当接要素８０はさらに、データケーブル１４の皮はぎされた範囲の通しまたは挿入を補助して容易にするためにおよびその際対をなして配置された芯線１８を２つのグループに少なくともほぼ均等に分割して予め分けるために設けられている。
【００３９】
データケーブル１４を挿入した状態で、対をなして捩じられたデータケーブル１４の芯線１８は、データケーブル１４の皮はぎされた範囲においてよりを戻され、続いて個々にそれぞれ１つの収容要素２０に入れられる。データケーブル１４の各芯線１８はデータケーブル１４の挿入方向７０に対して垂直にそれぞれ１つの収容要素２０に入れられる。芯線１８は、挿入方向７０に対して平行に見て、上側から第１収容部分２２と第２収容部分２４に挿入され、配線ブロック１２の方へ収容要素２０内に押し込まれる。その際、芯線１８は収容要素２０の第１収容部分２２の重ね板６８の間に押し込まれる。それによって、重ね板６８が変形し、データケーブル１４の芯線１８を摩擦連結的およびかみ合い連結的に固定する。収容要素２０の第１収容部分２２の重ね板６８と第２収容部分２４の重ね板８８は弾性的に変形する。しかし、収容要素２０の第１収容部分２２の重ね板６８と第２収容部分２４の重ね板８８がデータケーブル１４の芯線１８の押し込み時に塑性変形するかまたはさらに部分的に割れるようにしてもよい。その際、割れた重ね板６８、８８はデータケーブル１４の芯線１８の外皮をつめを立てるように掴み、従ってデータケーブル１４の芯線１８のきわめて確実な固定が達成される。さらに、収容要素２０の第１収容部分２２の重ね板６８と第２収容部分２４の重ね板８８の少なくとも一部を刃のように形成することができる。それによって、第１収容部分２２の重ね板６８と第２収容部分２４の重ね板８８は、挿入状態で芯線１８の外皮に少なくとも一部が食い込む。第１収容部分２２の重ね板６８と第２収容部分２４の重ね板８８は、挿入状態で芯線１８の外皮に切り目を入れる。それによって、芯線１８のかみ合い連結的な固定が達成される。第１収容部分２２の重ね板６８と第２収容部分２４の重ね板８８は鋭いエッジのようにおよび刃形に形成されている。
【００４０】
さらに、芯線１８は収容要素２０に押し込む際に、挿入方向７０に対して平行に見て、それぞれ上側から第２収容部分２４に挿入され、配線ブロック１２の方へ収容要素２０内に押し込まれる。それによって、芯線１８は間隔をおいて収容要素２０の第２収容部分２４の保持突起２６の間に押し込まれ、第２収容部分の収容範囲内に横たわる。第２収容部分２４の保持突起２６はデータケーブル１４の芯線１８を、データケーブル１４の挿入方向７０に滑り出ないように保持する。その代わりにまたはそれに加えて、収容要素２０の第１収容部分２２がそれぞれ少なくとも１個の保持突起を備えていてもよい。芯線１８は工具によって配線ブロック１２の側方で面一になるよう切り落とされる。
【００４１】
続いて、配線ブロック１２と差込み式接触ユニット５２がデータケーブル１４の挿入方向７０に対して平行に互いに寄せられる。それによって、差込み式接触ユニット５２の第２差込み式接触範囲５８の圧接接触部６２がデータケーブル１４の芯線１８に接触する（図９）。各々１個の圧接接触部６２が寄せられた状態で各々１つの凹部に係合し、この凹部はそれぞれ、１つの収容範囲１６によって取り囲まれ、かつ半径方向３４に見て収容要素２０の第１収容部分２２と第２収容部分２４の間に配置されている。各々１つの圧接接触部６２は寄せられた状態でデータケーブル１４の芯線１８を掴み、その際データケーブル１４の芯線１８の外皮に食い込むので、圧接接触部６２は芯線１８に電気的に接触する。寄せて、圧接接触部６２をデータケーブル１４の芯線１８の外皮に食い込ませた際に、データケーブル１４の芯線１８はそれぞれ、収容要素２０の第１収容部分２２と第２収容部分２４によって保持され、寄せる際に芯線１８を滑らないように保持する。それぞれ収容要素２０の第１収容部分２２と第２収容部分２４による芯線１８のこの二重の位置決めにより、圧接接触部６２による有利に正確で不変の配線の品質が達成可能である。
【００４２】
配線ブロック１２の組み立て時にデータケーブル１４が滑り出ないようにするために、差込み式コネクタ装置１０は配線ブロック１２に配置された張力軽減ユニット４６を備えている。この張力軽減ユニットは、データケーブル１４を、組み立て状態で配線ブロック１２に対して摩擦連結的に固定するために設けられている（図７）。しかしながら、張力軽減ユニット４６はデータケーブル１４を、その代わりにまたはそれに追加してかみ合い連結的に固定するために設けてもよい。張力軽減ユニット４６は配線ブロック１２上に直に設けられている。張力軽減ユニット４６は張力軽減要素４８と固定要素を備えている。張力軽減要素４８は薄板によって形成されている。張力軽減要素４８は溝状に形成されている。張力軽減要素４８は樋状に形成されている。張力軽減要素４８は部分円状の横断面を有する。しかしながら、張力軽減要素４８は専門家にとって適当であると思われる他の形状、例えばＶ字状横断面を有する形状であってもよい。固定要素はケーブルバインダによって形成されている（図１０）。しかし、固定要素は専門家にとって適当であると思われる他の形状でもよい。
【００４３】
データケーブル１４の固定のために、データケーブル１４は張力軽減要素４８に沿って案内され、そして張力軽減要素４８とデータケーブル１４を掴む固定要素によって連結固定される。張力軽減ユニット４６は、データケーブル１４を、少なくとも１つの位置で配線ブロック１２に対して固定するために設けられている。張力軽減ユニット４６は、データケーブル１４を、少なくとも４５°だけずれた少なくとも２つの方向で配線ブロック１２に対して固定するために設けられている。張力軽減ユニット４６は、データケーブル１４を、９０°だけずれた２つの方向で配線ブロック１２に対して固定するために設けられている。張力軽減ユニット４６の張力軽減要素４８は配線ブロック１２に固定連結されている。張力軽減ユニット４６の張力軽減要素４８は配線ブロック１２にかみ合い連結されている。その代わりにまたはそれに追加して、張力軽減要素４８を配線ブロック１２に材料一体的に連結および／または摩擦連結してもよい。張力軽減ユニット４６の張力軽減要素４８は塑性変形、例えば操作人による曲げによって、９０°だけずれた２つの方向に配線ブロック１２に対して向けることができる。張力軽減ユニット４６の張力軽減要素４８は塑性変形によって、例えば３０°、４５°または６０°のような他の角度だけずれた方向に配線ブロック１２に対して向けることができる。
【００４４】
その代わりに、張力軽減ユニット４６の張力軽減要素４８を配線ブロック１２に取り外し可能に連結してもよい。張力軽減ユニット４６の張力軽減要素４８は工具なしに配線ブロック１２に取り外し可能に連結することができる。張力軽減ユニット４６の張力軽減要素４８は組み立て状態で、配線ブロック１２に挿入された張力軽減要素受け８２に差し込むことができる。
【００４５】
張力軽減ユニット４６の張力軽減要素４８はさらに、全部で４つの方向のうちの一つに固定するために設けられ、この４つの方向は９０°だけずれていて、組み立て状態でデータケーブル１４の周りに周方向に分配配置されている（図８に破線で示してある）。そのために、スリット状に形成された４つの張力軽減要素受け８２が配線ブロック１２に設けられている。この張力軽減要素受けには張力軽減要素４８を差し込むことができる。しかし、専門家にとって適当であると思われるような、例えば２つ、３つまたはそれよりも多い張力軽減要素受け８２を配線ブロック１２に設けることができる。張力軽減要素受け８２は軸方向に見て３時、６時、９時および１２時に配置されている。差込み式コネクタ装置１０の納品状態では、張力軽減ユニット４６の張力軽減要素４８は、軸方向に見て６時の、配線ブロック１２の張力軽減要素受け８２内に配置されている。しかし、配線ブロック１２における張力軽減要素受け８２の配置は、専門家にとって適当であると思われる他の範囲でもよい。さらに、張力軽減ユニット４６の張力軽減要素４８は周方向にずらした複数の方向の一つにおいて、配線ブロック１２に固定連結してもよい。
【００４６】
さらに、張力軽減ユニット４６の張力軽減要素４８は、配線ブロック１２に対して少なくとも４５°だけ異なる少なくとも２つの方向において配線ブロック１２に固定可能に形成してもよい。張力軽減ユニット４６の張力軽減要素４８は、配線ブロック１２に対して９０°だけ異なる２つの方向において配線ブロック１２に固定可能に形成してもよい。張力軽減要素４８は配線ブロック１２に取り外し可能に連結することができるように形成可能である。張力軽減要素４８は工具なしに配線ブロック１２に取り外し可能に連結することができるように形成可能である。配線ブロック１２は、９０°曲がった配線ブロック１２の２つの側面に対をなして挿入された少なくとも２つの張力軽減要素受け８２を備えることができる。張力軽減要素受け８２はスリット状に形成されている。張力軽減要素受け８２には張力軽減要素４８を差し込むことができる。
【００４７】
配線ブロック１２はさらに、ドレイン線収容要素２８を備えている。このドレイン線収容要素はデータケーブル１４のドレイン線を収容するために設けられている（図６）。ドレイン線収容要素２８は溝状に形成されている。ドレイン線収容要素２８は樋状に形成されている。ドレイン線収容要素２８は部分円状の横断面を有する。ドレイン線収容要素２８は配線ブロック１２と一体に形成されている。ドレイン線収容要素２８は少なくとも一部が配線ブロック１２の外面３０に配置されている。ドレイン線収容要素２８は、ドレイン線の少なくとも一部を軸方向３２と半径方向３４に案内するために設けられている。軸方向３２はデータケーブル１４の挿入方向７０に対して平行に延びている。ドレイン線収容要素２８は、データケーブル１４の挿入方向７０に対して平行に見て、収容要素２０寄りの配線ブロック１２の壁部の側面から、配線ブロック１２の壁部の外面３０へおよび外面に沿って、そして続いて、データケーブル１４の挿入方向７０に対して平行に見て、収容要素２０とは反対の、配線ブロック１２の壁部の側に沿って延在している。ドレイン線収容要素２８はその主差込み方向に見てＵ字状に形成されている。
【００４８】
ドレイン線は組み立て時に、データケーブル１４を保持した案内要素６６からドレイン線収容要素２８の方へ案内され、溝状に形成されたドレイン線収容要素２８内に配置され、ドレイン線収容要素２８内を案内される。ドレイン線はドレイン線収容要素２８内で配線ブロック１２の壁部の周りにＵ字状に案内される。ドレイン線収容要素２８のこの配置により、ドレイン線の短い長さでのドレイン線の接触と、ひいては良好なシールド特性が達成可能である。
【００４９】
差込み式コネクタ装置１０はさらに接触要素３６を備えている。この接触要素は、ドレイン線収容要素２８内に収容されたドレイン線を、組み立て状態で電気的に接触させるために設けられている（図９〜１１）。接触要素３６は導電性材料によって形成されている。接触要素３６は金属によって形成されている。接触要素３６は薄板によって形成されている。接触要素３６は組み立て状態でドレイン線収容要素２８の一部を覆い、その際ドレイン線収容要素２８内を案内されたドレイン線に接触している。接触要素３６は組み立て状態でドレイン線に接触する第１範囲７２と、差込み状態でデータプラグに直接接触するために設けられた少なくとも１つの第２範囲７４を備えている。接触要素３６は第２範囲７４を２つ備えている。接触要素３６の第２範囲７４は平行に配置されている。接触要素３６の第２範囲７４はＬ字状に形成されている。接触要素３６の第２範囲７４は接触要素３６の第１範囲７２に対して曲げて形成されている。接触要素３６の第２範囲７４は接触要素３６の第１範囲７２に対してそれぞれ９０°だけ曲げて形成されている。接触要素３６の第２範囲７４は接触要素３６の第１範囲７２の両側で接触要素３６の第１範囲７２に接続されている。接触要素３６は差込み接触ユニット５２と中間ケーシング５４と配線ブロック１２を部分的に取り囲んでいる。配線ブロック１２とは反対側の、接触要素３６の第１範囲７２と第２範囲７４の部分は、第１差込み接触範囲５６を部分的に掴んでいる。配線ブロック１２とは反対側の、接触要素３６の第１範囲７２と第２範囲７４の部分は、第１差込み接触範囲５６をＵ字状に掴んでいる。接触要素３６は組み立て状態でケーシング３８によって取り囲まれている。接触要素３６はケーシング３８から分離して形成されている。しかしながら、接触要素３６の少なくとも一部または全体をケーシング３８と一体に形成し、および／またはケーシング３８の少なくとも一部または全体を導電性材料、例えば金属または導電性合成樹脂によって形成してもよい。
【００５０】
差込み式コネクタ装置１０はさらに、ケーシング３８に揺動可能に支持された配線カバー４０を備えている（図３）。配線カバー４０は上方へ揺動した状態でケーシング３８から取り外しできるように形成されている。配線カバー４０は、データケーブル１４の挿入方向７０に対して垂直に延びる軸線回りに揺動可能にケーシング３８に支承されている。配線カバー４０は図示していない遮蔽されたバージョンでは金属によって形成され、遮蔽されていないバージョンでは合成樹脂によって形成されている。その代わりにまたはそれに付加して、専門家にとって適当であると思われる他の材料を配線カバー４０のために用いることができる。この材料は例えば電気的または磁気的な遮蔽作用を有し、非導線性に形成された、特に金属繊維を有する合成樹脂である。それによって、入射および／または出射する電界および／または磁場に対して遮蔽作用が達成可能である。さらに、配線カバー４０は金属箔からなるシールドを備えていてもよい。配線カバー４０は少なくとも１個の支承要素４２を備えている。この支承要素は、配線カバー４０をケーシング３８に揺動可能に支承するために設けられ、少なくとも１個のカラー４４を備えている。配線カバー４０は２個の支承要素４２を備えている。配線カバー４０の支承要素４２は支承ピンとして形成されている。支承要素４２は配線カバー４０と一体に形成されている。支承要素４２はそれぞれ１個のカラー４４を有する。このカラー４４はそれぞれ円板状に形成されている。カラー４４は各支承要素４２よりも大きな直径を有する。カラー４４と支承要素４２は同じ回転軸線を有する。カラー４４と支承要素４２は一体に形成されている。配線カバー４０は少なくとも１個の運動変換要素７６を備えている。この運動変換要素は配線カバー４０の揺動運動の少なくとも一部を並進運動に変換する。運動変換要素７６は配線カバー４０の揺動運動の少なくとも一部を差込み接触ユニット５２の方への配線ブロック１２の並進運動に変換する。運動変換要素７６は、配線カバー４０の揺動運動によって配線ブロック１２に力を伝達するために設けられている。配線カバー４０は２個の運動変換要素７６を備えている。配線カバー４０の各運動変換要素７６は支承要素４２とは反対のカラー４４の側に配置されている。カラー４４と各運動変換要素７６は一体に形成されている。運動変換要素７６は案内溝装置として形成されている。
【００５１】
配線カバー４０は組み立てのために、データケーブル１４の挿入方向７０に対して垂直にケーシング３８のスリット状収容部７８内に挿入され、続いて支承要素４２の回転軸線回りに揺動させられる。その際、支承要素４２のカラー４４は、ケーシング３８内に形成された受け７８に背後から係合し、配線カバー４０の揺動運動時に、支承要素４２を配置した配線カバー４０の側方範囲の折れ曲がりを防止する。配線ブロック１２は揺動運動によって差込み式接触ユニット５２の方へ押し込まれ、それによって揺動運動は運動変換要素７６を介して配線ブロック１２の並進運動に変換される。その際、圧接接触部６２が配線ブロック１２の収容範囲１６に係合し、データケーブル１４の芯線１８の外皮に食い込み、それによってデータケーブル１４の芯線１８に電気的に接触する。
【００５２】
その代わりに、配線カバー４０の少なくとも一部を金属によって作るかまたは少なくとも支承要素４２の範囲を補強形成してもよい。それによって、配線カバー４０の安定性が高まることによって、配線カバー４０の揺動運動時に配線カバー４０の曲げ伸ばしが防止され、従ってカラー４４を省略することができる。
【００５３】
図１２と図１３には、本発明の他の実施の形態が示してある。次の説明と図は実質的に、実施の形態間の相違に限定される。この場合、同じ表示の構成部分、特に同じ参照符号をつけた構成部分に関して、基本的には、他の実施の形態の図面、特に図１〜１１および／または説明を参照することができる。実施の形態を区別するために、図１２と図１３の本実施の形態の参照符号には文字ａが添えてある。
【００５４】
図１２と図１３には、差込み式コネクタ装置１０ａの張力軽減ユニット４６ａの他の実施の形態が示してある。差込み式コネクタ装置１０ａは大部分が既に説明した差込み式コネクタ装置１０ａと一致している。張力軽減ユニット４６ａは、差込み式コネクタ装置１０ａの配線ブロック１２ａの組み立て時にデータケーブル１４ａが滑り出ないようにするために設けられている。張力軽減ユニット４６ａは、組み立て状態でデータケーブル１４ａを配線ブロック１２ａに対して摩擦連結的および／またはかみ合い連結的に固定するために設けられている。張力軽減ユニット４６ａは張力軽減要素４８ａを備えている。張力軽減要素４８ａは合成樹脂によって形成されている。張力軽減要素４８ａを金属薄板または金属鋳物、さらに合成樹脂で鋳包みした金属部品によって形成してもよい。張力軽減ユニット４６ａの張力軽減要素４８ａは保持ベルトとして形成されている。張力軽減ユニット４６ａの張力軽減要素４８ａは差込み式コネクタ装置１０ａの配線ブロック１２ａに固定されている。張力軽減ユニット４６ａの張力軽減要素４８ａは差込み式コネクタ装置１０ａの配線ブロック１２ａに取り外し可能に固定されている。張力軽減ユニット４６ａの張力軽減要素４８ａは差込み式コネクタ装置１０ａの配線ブロック１２ａにかみ合い連結的に固定されている。張力軽減要素４８ａは差込み式コネクタ装置１０ａの配線ブロック１２ａに配置された固定要素９０ａに固定されている。固定要素９０ａはピン状に形成されている。しかし、専門家にとって適当であると思われるような他の形に、固定要素９０ａを形成してもよい。張力軽減要素４８ａは固定要素９０ａの回りに揺動可能に支承されている。張力軽減要素４８ａは配線ブロック１２ａの固定要素９０ａに取り外し可能に連結されている。
【００５５】
張力軽減ユニット４６ａの張力軽減要素４８ａは、組み立て状態でデータケーブル１４ａの外皮に接触する接触面９２ａを有する。張力軽減要素４８ａは接触面９２ａに、データケーブル１４ａとのかみ合い連結を行うリブを有する。張力軽減ユニット４６ａの張力軽減要素４８ａは接触面９２ａの反対側に係止範囲を有する。この係止範囲は多数のジグザグ係止部９４ａを有する。このジグザグ係止部９４ａは、差込み式コネクタ装置１０ａの配線ブロック１２ａに配置された少なくとも１個の係止要素９６ａ、９８ａに対応して形成されている。配線ブロック１２ａは２個の係止要素９６ａ、９８ａを備えている。係止要素９６ａ、９８ａは張力軽減要素４８ａの係止方向に見て順々にかつ離隔して配置されている。
【００５６】
組み立て状態で、張力軽減要素４８ａはデータケーブル１４ａを掴み、かつしっかりと留められている。かみ合い連結および／または摩擦連結はデータケーブル１４ａを所望な個所に永久的に固定保持する。大きな直径のデータケーブル１４ａを固定するために、張力軽減ユニット４６ａの張力軽減要素４８ａのジグザグ係止部９４ａは、データケーブル１４ａが張力軽減要素４８ａに対して滑らないように摩擦連結的および／またはかみ合い連結的に保持されるまで、第１係止要素９６ａに合わせられてこの第１係止要素に係止される。小さな直径のデータケーブル１４ａを固定するために、張力軽減ユニット４６ａの張力軽減要素４８ａのジグザグ係止部９４ａは、データケーブル１４ａが張力軽減要素４８ａに対して滑らないように摩擦連結的および／またはかみ合い連結的に保持されるまで、第２係止要素９８ａに合わせられてこの第２係止要素に係止される。張力軽減ユニット４６ａの張力軽減要素４８ａのジグザグ係止部９４ａと配線ブロック１２ａの係止要素９６ａ、９８ａの間の係止連結部は取り外し可能に形成されている。張力軽減ユニット４６ａの張力軽減要素４８ａのジグザグ係止部９４ａと配線ブロック１２ａの係止要素９６ａ、９８ａの間の係止連結部を取り外すために、張力軽減要素４８ａは、配線ブロック１２ａの第１係止要素９６ａと第２係止要素９８ａの間に配置された開口部を経て、内側に押されて操作される。張力軽減要素４８ａは、配線ブロック１２ａの第１係止要素９６ａと第２係止要素９８ａの間の開口部を経て、手動であるいはねじ回しまたは専門家にとって適当であると思われる他の工具によって、内側に押されて操作される。
【符号の説明】
【００５７】
１０  差込み式コネクタ装置
１２  配線ブロック
１４  データケーブル
１６  収容範囲
１８  芯線
２０  収容要素
２２  収容部分
２４  収容部分
２６  保持突起
２８  ドレイン線収容要素
３０  外面
３２  軸方向
３４  半径方向
３６  接触要素
３８  ケーシング
４０  配線カバー
４２  支承要素
４４  カラー
４６  張力軽減ユニット
４８  張力軽減要素
５０  差込み式コネクタ
５２  差込み式接触ユニット
５４  中間ケーシング
５６  差込み接触範囲
５８  差込み接触範囲
６０  接触線
６２  圧接接触部
６４  プリント基板
６６  案内要素
６８  重ね板
７０  挿入方向
７２  範囲
７４  範囲
７６  運動変換要素
７８  収容部
８０  当接要素
８２  張力軽減要素受け
８４  縮径要素
８８  重ね板
９０  固定要素
９２  当接面
９４  ジグザグ係止部
９６  係止要素
９８  係止要素
【図１】
2018041748.tif 000003
【図２】
2018041748.tif 000004
【図３】
2018041748.tif 000005
【図４】
2018041748.tif 000006
【図５】
2018041748.tif 000007
【図６】
2018041748.tif 000008
【図７】
2018041748.tif 000009
【図８】
2018041748.tif 000010
【図９】
2018041748.tif 000011
【図１０】
2018041748.tif 000012
【図１１】
2018041748.tif 000013
【図１２】
2018041748.tif 000014
【図１３】
2018041748.tif 000015